(57)【要約】【課題】  部品点数が少なく、安価で、小型のカメラモジュールを提供すること。【解決手段】  本発明のカメラモジュールは、レンズ２を取り付けた板状のホルダ１と筒状部４ａを有する保持部材４が接着剤５によって組み合わされため、部品点数が少なく、安価で、小型にできると共に、ホルダ１と保持部材４の一方に設けられた傾斜カム部４ｃと、ホルダ１と保持部材４の他方に設けられた係合部１ｃとによって、レンズ２の位置調整が行われるため、部品点数の少ない構成で位置調整が可能となって、安価で、小型のレンズの位置調整構造が得られる。【選択図】  図１
2007065058.tif 000002
【特許請求の範囲】
【請求項１】
板状のホルダと、このホルダの下面に取り付けられた１個、或いは積層された複数個のレンズと、このレンズを内部に収納する筒状部を有し、この筒状部の前方部で前記ホルダを取り付けるための保持部材とを備え、前記ホルダと前記保持部材の何れか一方には、前記レンズの光軸方向に高さが漸次変化するように同一円周上に設けられた複数の傾斜カム部が設けられると共に、前記ホルダと前記保持部材の何れか他方には、前記傾斜カム部に当接する複数の係合部を有し、前記傾斜カム部、或いは前記係合部の少なくとも何れか一方を回転させて、前記傾斜カム部に対する前記係合部の当接位置を変えて、光軸方向における前記レンズの位置を調整すると共に、前記ホルダと前記保持部材が接着剤によって固定されたことを特徴とするカメラモジュール。
【請求項２】
前記保持部材の前記筒状部の前方部には、前記ホルダの回転をガイドするガイド部が設けられたことを特徴とする請求項１記載のカメラモジュール。
【請求項３】
前記保持部材の前記筒状部には、前端部に設けられた前記傾斜カム部と、この傾斜カム部の外周部を囲むように設けられた筒状の前記ガイド部を有し、前記ホルダに設けられた前記係合部が前記傾斜カム部に当接するようにしたことを特徴とする請求項２記載のカメラモジュール。
【請求項４】
前記ホルダに前記レンズが取り付けられ、前記ホルダの前記係合部は、前記ホルダと前記レンズの重さによって、前記保持部材に設けられた前記傾斜カム部に当接し、この状態で前記ホルダを回転して前記レンズの位置を調整するようにしたことを特徴とする請求項３記載のカメラモジュール。
【請求項５】
前記レンズは前記ホルダに接着剤によって接着されたことを特徴とする請求項１から４の何れか１項記載のカメラモジュール。
【発明の詳細な説明】
【技術分野】
【０００１】
本発明は、携帯電話機等に適用して好適なカメラモジュールに関するものである。
【背景技術】
【０００２】
従来のカメラモジュールの図面を説明すると、図５は従来のカメラモジュールに係る分解斜視図であり、次に、従来のカメラモジュールの構成を図５に基づいて説明すると、取付板５１の中央部には、複数の傾斜カム部５２ａを有する可動部材５２が回転可能に取り付けられると共に、この可動部材５２の上部には、傾斜カム部５２ａに当接する複数の係合部５３ａを有するリング部材５３が配置される。
【０００３】
ホルダ５４は、内部にレンズ（図示せず）を保持する筒状部５４ａと、この筒状部５４ａの上部に設けられた鍔部５４ｂを有し、このホルダ５４は、筒状部５４ａがリング部材５３の中空部内に挿入された状態で、鍔部５４ｂがリング部材５３の上端部に載置されると共に、この鍔部５４ｂ上には、係合部５３ａを傾斜カム部５２ａに弾圧する板バネ５５が取り付けられ、この板バネ５５は、取付板５１に取り付けられたバネ押さえ部材５６によって保持されて、従来のカメラモジュールが形成されている（例えば、特許文献１参照）。
【０００４】
このような構成を有する従来のカメラモジュールは、可動部材５２を回転すると、可動部材５２の傾斜カム部５２ａは、板バネ５５のバネ性に抗して、リング部材５３の係合部５３ａを介してホルダ５４を上下動させて、ホルダ５４の筒状部５４ａ内に取り付けられたレンズの位置の調整を行うようになっている。
【特許文献１】実公平８−９６９５号公報（第２頁、図１）
【発明の開示】
【発明が解決しようとする課題】
【０００５】
しかし、従来のカメラモジュールは、レンズの位置調整のための部材として傾斜カム部５２ａを有する可動部材５２，係合部５３ａを有するリング部材５３，レンズを保持した筒状のホルダ５４，及び板バネ５５等の多数の部品を必要とし、部品点数が多くなって、コスト高で、生産性が悪い上に、大型になるという問題がある。
【０００６】
本発明は、このような従来技術の実情に鑑みてなされたもので、その目的は、部品点数が少なく、安価で、小型のカメラモジュールを提供することにある。
【課題を解決するための手段】
【０００７】
上記の目的を達成するために、本発明の第１の解決手段として、板状のホルダと、このホルダの下面に取り付けられた１個、或いは積層された複数個のレンズと、このレンズを内部に収納する筒状部を有し、この筒状部の前方部で前記ホルダを取り付けるための保持部材とを備え、前記ホルダと前記保持部材の何れか一方には、前記レンズの光軸方向に高さが漸次変化するように同一円周上に設けられた複数の傾斜カム部が設けられると共に、前記ホルダと前記保持部材の何れか他方には、前記傾斜カム部に当接する複数の係合部を有し、前記傾斜カム部、或いは前記係合部の少なくとも何れか一方を回転させて、前記傾斜カム部に対する前記係合部の当接位置を変えて、光軸方向における前記レンズの位置を調整すると共に、前記ホルダと前記保持部材が接着剤によって固定された構成とした。
【０００８】
また、第２の解決手段として、前記保持部材の前記筒状部の前方部には、前記ホルダの回転をガイドするガイド部が設けられた構成とした。
【０００９】
また、第３の解決手段として、前記保持部材の前記筒状部には、前端部に設けられた前記傾斜カム部と、この傾斜カム部の外周部を囲むように設けられた筒状の前記ガイド部を有し、前記ホルダに設けられた前記係合部が前記傾斜カム部に当接するようにした構成とした。
【００１０】
また、第４の解決手段として、前記ホルダに前記レンズが取り付けられ、前記ホルダの前記係合部は、前記ホルダと前記レンズの重さによって、前記保持部材に設けられた前記傾斜カム部に当接し、この状態で前記ホルダを回転して前記レンズの位置を調整するようにした構成とした。
【００１１】
また、第５の解決手段として、前記レンズは前記ホルダに接着剤によって接着された構成とした。
【発明の効果】
【００１２】
本発明のカメラモジュールは、レンズを取り付けた板状のホルダと筒状部を有する保持部材が接着剤によって組み合わされため、部品点数が少なく、安価で、小型にできると共に、ホルダと保持部材の一方に設けられた傾斜カム部と、ホルダと保持部材の他方に設けられた係合部とによって、レンズの位置調整が行われるため、部品点数の少ない構成で位置調整が可能となって、安価で、小型のレンズの位置調整構造が得られる。
【００１３】
また、保持部材の筒状部の前方部には、ホルダの回転をガイドするガイド部が設けられたため、ホルダの回転を簡単に回転できて、レンズの位置調整の容易なものが得られる。
【００１４】
また、保持部材の筒状部には、前端部に設けられた傾斜カム部と、この傾斜カム部の外周部を囲むように設けられた筒状のガイド部を有し、ホルダに設けられた係合部が傾斜カム部に当接するようにしたため、保持部材の前方部には、ガイド部と傾斜カム部が簡単に形成できると共に、ホルダには、係合部が容易に形成できて、生産性の良好なものが得られる。
【００１５】
また、ホルダにレンズが取り付けられ、ホルダの係合部は、ホルダとレンズの重さによって、保持部材に設けられた傾斜カム部に当接し、この状態でホルダを回転してレンズの位置を調整するようにしたため、簡単な構成によって、レンズの位置調整構造が得られる。
【００１６】
また、レンズはホルダに接着剤によって接着されたため、その構成が簡単で、安価であると共に、別部材を必要とせず、小型化が図れる。
【発明を実施するための最良の形態】
【００１７】
発明の実施の形態について図面を参照して説明すると、図１は本発明のカメラモジュールの要部断面図、図２は本発明のカメラモジュールに係り、ホルダとレンズを組み合わせた状態を示す断面図、図３は本発明のカメラモジュールに係り、ホルダと保持部材の関係を示す要部の斜視図、図４は本発明のカメラモジュールのレンズの位置調整を示す説明図であり、次に、本発明のカメラモジュールの構成を図〜図４に基づいて説明すると、合成樹脂の成型品からなる板状のホルダ１は、中央部に設けられた貫通孔１ａと、この貫通孔１ａの外周部に設けられた孔や溝等からなる係止部１ｂと、放射状に突出した複数の突起からなる係合部１ｃを有する。
【００１８】
このホルダ１の下面には、特に図２に示すように、積層された複数個（この実施例では３個）のレンズ２が接着剤３によって取り付けられており、このレンズ２は、最上部に位置する第１レンズがその下方に位置する第２レンズによってホルダ１に押し付けられた状態で、第２レンズがホルダ１の下面に接着剤３によって接着されると共に、第２レンズの下方に位置する第３レンズは、側方部の位置で第２レンズに接着剤３によって接着された状態となっている。なお、第１レンズは、ホルダ１に接着剤３によって接着しても良く、また、レンズ２は、ホルダ１に接着した１個のレンズにしても良い。
【００１９】
合成樹脂の成型品からなる保持部材４は、小径の筒状部４ａと、この筒状部４ａに後方向に結合された大径の筒状部４ｂと、筒状部４ａの前方部（前端部）に位置した状態で、レンズ２の光軸方向に高さが漸次変化するように同一円周上に設けられた複数の傾斜カム部４ｃと、この傾斜カム部４ｃの外周部を囲むように設けられた筒状のガイド部４ｄを有し、この保持部材４には、筒状部４ａ内にレンズ２を収納した状態で、ホルダ１が筒状部４ａの前方部を塞ぐように配置されると共に、ホルダ１の係合部１ｃが傾斜カム部４ｃ上に当接した状態で、ホルダ１と保持部材４が接着剤５によって固定されている。
【００２０】
次に、レンズ２の位置調整、即ち、レンズ２の光軸方向の位置の調整を図３，図４に基づいて説明すると、ホルダ１とレンズ２が組み合わされた状態で、レンズ２を筒状部４ａ内に位置すると共に、ホルダ１の係合部１ｃを傾斜カム部４ｃ上に載置する。すると、ホルダ１とレンズ２の重さ（自重）によって、係合部１ｃは、傾斜カム部４ｃ上に当接した状態になり、この状態で、係止部１ｂに治具（図示せず）を掛止めしてホルダ１を回転すると、ホルダ１は筒状のガイド部４ｄにガイドされて回転すると共に、係合部１ｃが傾斜カム部４ｃ上を移動して、レンズ２が光軸方向（前後方向）に移動し、これによって、レンズ２の位置調整が行われ、この位置調整が完了した後、接着剤５によって、ホルダ１と保持部材４を固定するようになっている。
【００２１】
なお、この実施例では、ホルダ１に係合部１ｃを設け、保持部材４に傾斜カム部４ｃを設けたもので説明したが、ホルダ１に傾斜カム部を設けると共に、保持部材４に係合部を設けたものでも良い。
【００２２】
また、保持部材４の筒状部４ｂ内には、赤外線除去フィルタ（ＩＲカットフィルタ）６が配置されると共に、保持部材４の筒状部４ｂの下部には、撮像素子７を取り付けた回路基板８が取り付けられて、本発明のカメラモジュールが形成されている。そして、このような構成を有するカメラモジュールは、ホルダ１の回転動作によって、撮像素子７に対するレンズ２の焦点の調整が行われるようになっている。
【図面の簡単な説明】
【００２３】
【図１】本発明のカメラモジュールの要部断面図である。
【図２】本発明のカメラモジュールに係り、ホルダとレンズを組み合わせた状態を示す断面図である。
【図３】本発明のカメラモジュールに係り、ホルダと保持部材の関係を示す要部の斜視図である。
【図４】本発明のカメラモジュールのレンズの位置調整を示す説明図である。
【図５】従来のカメラモジュールに係る分解斜視図である。
【符号の説明】
【００２４】
１  ホルダ
１ａ  貫通孔
１ｂ  係止部
１ｃ  係合部
２  レンズ
３  接着剤
４  保持部材
４ａ  筒状部
４ｂ  筒状部
４ｃ  傾斜カム部
４ｄ  ガイド部
５  接着剤
６  赤外線除去フィルタ
７  撮像素子
８  回路基板
【図１】
2007065058.tif 000003
【図２】
2007065058.tif 000004
【図３】
2007065058.tif 000005
【図４】
2007065058.tif 000006
【図５】
2007065058.tif 000007